(57)【要約】【課題】第１のフィールドと第２のフィールドを有するフレームをＬＣＤパネル上に表示するための液晶ディスプレイ（ＬＣＤ）パネルの駆動方法が提供される。【解決手段】この駆動方法は、線対方法を用いてフレームの水平走査線をＬＣＤパネルに送信することと、列反転方法を用いてフレームをＬＣＤパネルに表示することとを含む。したがって、本発明の駆動方法は、追加のメモリを設ける、または高度なアルゴリズムを展開する必要なく、表示されたフレームの解像度を高めることができる。【選択図】図3Ａ
2006337974.tif 000002
【特許請求の範囲】
【請求項１】
第１のフィールド及び第２のフィールドがそれぞれＬ本の水平走査線を含むように、第１のフィールド及び第２のフィールドを有するフレームをＬＣＤパネル上に表示するための液晶ディスプレイ（ＬＣＤ）パネルの駆動方法であって、ここで当該ＬＣＤパネルはＭ本の走査線とＮ本のデータ線を含んでおり、当該駆動方法は、
第１のフィールドの水平走査線を連続して受信し、第１のフィールドの水平走査線を第１のフィールドを表示するＬＣＤパネルに送信する工程において、第１のフィールドの水平走査線のうちＰ本がＬＣＤパネルの２本の連続する走査線にそれぞれ送信され、水平走査線のうちＱ本がＬＣＤパネルのうち１本の走査線にそれぞれ送信され、さらに、ＬＣＤパネルに送信される水平走査線のうちのどの２本の線の順序も第１のフィールドの水平走査線のうちのいずれの２本の順序とも同一であり、さらに、ＬＣＤパネルのデータ線の奇数番目のデータ線の信号極性とデータ線の偶数番目のデータ線の信号極性がそれぞれ第１の極性と第２の極性であり、
第２のフィールドの水平走査線を連続して受信し、第２のフィールドの水平走査線を第２のフィールドを表示するＬＣＤパネルに送信する工程において、第２のフィールドの水平走査線のうちＲ本がＬＣＤパネルの２本の連続する走査線にそれぞれ送信され、水平走査線のうちＳ本がＬＣＤパネルのうち１本の走査線にそれぞれ送信され、さらに、ＬＣＤパネルに送信される水平走査線のうちのどの２本の順序も第２のフィールドの水平走査線のうちのいずれの２本の順序とも同一であり、さらに、ＬＣＤパネルのデータ線の奇数番目のデータ線の信号極性とデータ線の偶数番目のデータ線の信号極性がそれぞれ第２の極性と第１の極性であり、
第１の極性と第２の極性が逆の極性で、Ｌ、Ｍ、Ｎ、ＰおよびＲが自然数で、ＱおよびＳが負でない整数で、Ｐ＋Ｑ≦Ｌで、Ｒ＋Ｓ≦Ｌである駆動方法。
【請求項２】
Ｐ＋Ｑ＝Ｌで、Ｒ＋Ｓ＝Ｌである、請求項１に記載のＬＣＤパネルの駆動方法。
【請求項３】
Ｐ＝Ｍ−Ｌで、Ｑ＝２Ｌ−Ｍである、請求項２に記載のＬＣＤパネルの駆動方法。
【請求項４】
Ｑ≠０およびＳ≠０であり、第１のフィールドのｈ番目の水平走査線がＬＣＤパネルのｇ番目の走査線に送信され、第２のフィールドの（ｈ−１）番目、ｈ番目および（ｈ＋１）番目の水平走査線のうちいずれか１本がＬＣＤパネルのｇ番目の走査線に送信され、ｈとｇが自然数で、ｈ≦Ｌおよびｇ≦Ｍである、請求項２に記載のＬＣＤパネルの駆動方法。
【請求項５】
第１の極性が正値を有し、第２の極性が負値を有する、請求項１に記載のＬＣＤパネルの駆動方法。
【請求項６】
第１の極性が負値を有し、第２の極性が正値を有する、請求項１に記載のＬＣＤパネルの駆動方法。
【請求項７】
Ｐ＋Ｑ＜Ｌで、Ｒ＋Ｓ＜Ｌである、請求項１に記載のＬＣＤパネルの駆動方法。
【請求項８】
Ｑ≠０およびＳ≠０であり、第１のフィールドのｈ番目の水平走査線がＬＣＤパネルのｇ番目の走査線に送信され、第２のフィールドの（ｈ−２）番目、（ｈ−１）番目およびｈ番目の水平走査線のうちいずれか１本がＬＣＤパネルのｇ番目の走査線に送信され、ｈとｇが自然数で、ｈ≦Ｌおよびｇ≦Ｍである、請求項７に記載のＬＣＤパネルの駆動方法。
【発明の詳細な説明】
【技術分野】
【０００１】
本発明は、液晶ディスプレイ（ＬＣＤ）パネルの駆動方法に関する。特に、本発明は、テレビ（ＴＶ）信号を表示するためのＬＣＤパネルの駆動方法に関する。
【背景技術】
【０００２】
ＴＶ信号は、ＴＶ信号の各フレームが奇数フィールドと偶数フィールドを有するように、インターレーシング方式（飛び越し走査方式）で表示される。ＴＶ信号では、あるフィールド（たとえば、奇数フィールド）の走査線が、別のフィールド（たとえば、偶数フィールド）の走査線間に組み合わせられる。
【０００３】
図１は、インターレーシングＴＶ信号を示す図である。図１に示されるように、ＮＴＳＣ  ＴＶ方式を例として用い、１フレームは全部で５２５本の走査線を有する。しかし、フライバック（帰線）のための走査線の差引後、有効な残りの走査線の数は４８４である。有効走査線は、それぞれ１、２、３、．．．、４８２、４８３および４８４と表示される。さらに、１フレームは、奇数フィールドと偶数フィールドで形成される。奇数フィールドは１、３、５、．．．、４８１および４８３とラベル付けされる走査線を含み、偶数フィールドは２、４、６、．．．、４８２および４８４とラベル付けされる走査線を含む。さらに、他のＰＡＬなどのＴＶ方式は、ＮＴＳＣに類似する。
【０００４】
図２は、ＬＣＤにより表示されるＴＶ信号を示す図である。実際のところ、ＬＣＤの表示パネルの駆動方法は、ＬＣＤパネルの各走査線を使用可能にすることと、特定の走査線が起動される際に、ＬＣＤパネルのデータ線を通じて対応データを送信することを含む。対応データは、奇数フィールドまたは偶数フィールドの１本の有効走査線に含まれるデータでありうる。したがって、奇数フィールドまたは偶数フィールドの有効走査線（非物理的）の１本に含まれるデータは「水平走査線」と呼ばれ、ＬＣＤパネルの走査線（物理的）のうちの１本と区別するべきである。
【０００５】
図２に示されるように、文字ＸとＹは、ＬＣＤパネルのデータ線と走査線のラベルセットをそれぞれ示す。文字Ｔは、ＴＶ信号の水平走査線のラベルセットを示す。２４０本の走査線を有するＬＣＤパネルが４８４本の水平走査線を有するフレーム（すなわち、奇数フィールドと偶数フィールドのそれぞれが２４２本の水平走査線を有する）を表示するのに使用されるとき、各フレームの奇数および偶数フィールドは、インターレーシング方式で表示される。たとえば、ＬＣＤパネルには、第１のフレームの奇数フィールドが表示され、次いで第１のフレームの偶数フィールドが表示される。次に、第２のフレームの奇数フィールドが表示され、次いで第２のフレームの偶数フィールドが表示される。このように、各フレームの奇数フィールドおよび偶数フィールドが交互に表示される。
【０００６】
明らかに、２４０本の走査線を有するＬＣＤパネル上に奇数フィールド（または偶数フィールド）の２４２本の走査線を表示すれば、２本の水平走査線を失うことは免れ得ない。一般に、最初のおよび最後の水平走査線が切り捨てられるか、あるいは、フレーム全体に大きな影響を及ぼさずにいくらか他のスキームが使用される。液晶のねじれ特性の悪化を招く可能性のある、液晶に電界を単一方向に印加することを防止するため、液晶は転極駆動方法により交互に駆動される。たとえば、図２は、転極駆動方法の１つである列反転を示す。その他のタイプの転極駆動方法は、行反転、フレーム反転、および点反転を含む。
【０００７】
従来技術によると、２４０本の走査線を有するＬＣＤパネルがそれぞれ２４２本の水平走査線を有する奇数フィールドおよび偶数フィールドを含むＴＶ信号を表示するのに使用される場合、表示フレームの最大解像度は２４０本の走査線のみである。解像度を上げるには、ＬＣＤパネルの走査線の数を、たとえば４８０に増加しなければならない。したがって、ＬＣＤパネル（４８０本の走査線を有する）上に一緒に表示するため、前のフィールド（２４２本の水平走査線を有する）を次のフィールド（２４２本の水平走査線を有する）と一致させることができるように、前のフィールドを記憶する追加のメモリを設ける必要がある。もしくは、ＬＣＤパネル（４８０本の走査線を有する）の４８０本の走査線よりも高い解像度を提供するため、高度なアルゴリズムと一緒にいくつかのメモリを使用することもできる。
【発明の開示】
【発明が解決しようとする課題】
【０００８】
したがって、本発明の少なくとも１つの目的は、追加のメモリを設ける、あるいは高度なアルゴリズムを使用する必要なしに、表示されるフレームの解像度が高められるようにＬＣＤパネルの駆動方法を提供することである。
【課題を解決するための手段】
【０００９】
本発明の目的に従い、ここに具体化され、大まかに記載されるように、これらのおよび他の利点を実現するため、本発明は、ＬＣＤパネル上にフレームを表示するためのＬＣＤパネルの駆動方法を提供する。ＬＣＤパネルは、Ｍ本の走査線とＮ本のデータ線を有する。当該フレームは、第１のフィールドと第２のフィールドを含む。第１および第２のフィールドの各々は、Ｌ本の水平走査線を含む。駆動方法は、第１のフィールドの水平走査線をＬＣＤパネルに連続して送受信してＬＣＤパネルに第１のフィールドを表示することと、その後に第２のフィールドの水平走査線をＬＣＤパネルに連続して送受信してＬＣＤパネルに第２のフィールドを表示することとを含む。
【発明の効果】
【００１０】
要約すると、本発明に記載のＬＣＤパネルの駆動方法は、１フレームの水平走査線をＬＣＤパネルに送信する線対駆動方法と、当該フレームをＬＣＤパネル上に表示する列反転駆動方法とを利用する。したがって、追加メモリを設ける、あるいは高度なアルゴリズムを使用する必要なく、フレームの解像度を高めることができる。
【００１１】
第１のフィールドがＬＣＤパネル上に表示される際、第１のフィールドの水平走査線のうちＰ本が、ＬＣＤパネルの２本の連続する走査線にそれぞれ送信され、水平走査線のうちＱ本が、ＬＣＤパネルの１本の走査線にそれぞれ送信される。さらに、ＬＣＤパネルに送信される水平走査線のうちのどの２本の順序も、第１のフィールドの水平走査線のうちのいずれの２本の順序とも同一である。その間、ＬＣＤパネルのデータ線の奇数番目のデータ線の信号極性と、データ線の偶数番目のデータ線の信号極性は、それぞれ第1の信号極性と第2の信号極性である。
【００１２】
第2のフィールドがＬＣＤパネル上に表示される際、第2のフィールドの水平走査線のうちＲ本が、ＬＣＤパネルの２本の連続する走査線にそれぞれ送信され、水平走査線のうちＳ本が、ＬＣＤパネルの１本の走査線にそれぞれ送信される。さらに、ＬＣＤパネルに送信される水平走査線のうちのどの２本の順序も、第２のフィールドの水平走査線のうちのいずれの２本の順序とも同一である。その間、ＬＣＤパネルのデータ線の奇数番目のデータ線の信号極性と、データ線の偶数番目のデータ線の信号極性は、それぞれ第2の信号極性と第1の信号極性である。
【００１３】
Ｌ、Ｍ、Ｎ、ＰおよびＲが自然数で、ＱとＳが負でない整数の場合、Ｐ＋Ｑ≦Ｌで、Ｒ＋Ｓ≦Ｌである。また、第１の極性と第２の極性は、上部基板上の共通電極に対するデータ線のうち１本における入力信号の電圧レベルを表す。本実施形態では、第１の極性と第２の極性は、２つの逆極性である。たとえば、第１の極性が正値を有する場合、第２の極性は負値を有する。第１のフィールドが表示されるときに奇数番目のデータ線が正値を有し（第１のフィールドの偶数番目のデータ線が負値を有する）、第２のフィールドが表示されるときに奇数番目のデータ線が負値を有する（第２のフィールドの偶数番目のデータ線が正値を有する）。すなわち、転極駆動方法の列反転が使用される。
【００１４】
図１に示される先行技術では、奇数フィールドの水平走査線は１、３、５、．．．、２ｎ−１とラベル付けされ、偶数フィールドの水平走査線は２、４、６、．．．、２ｎとラベル付けされることに留意しておくべきである。ここで、ｎは正の整数である。しかし、本発明における説明を体系化するため、奇数フィールドと偶数フィールドの両方の水平走査線が、１、２、３、．．．、ｎなどを用いてラベル付けされる。したがって、奇数フィールドの第１、第２、第３の水平走査線は、図１ではそれぞれ第１、第３、第５の水平走査線と同等である。同様に、偶数フィールドの第１、第２、第３の水平走査線は、図１などではそれぞれ第２、第４、第６の水平走査線と同等である。
【００１５】
一実施形態では、Ｐ＋Ｑ＝Ｒ＋Ｓ＝Ｌである。ただし、Ｑ≠０およびＳ≠０である。したがって、第１のフィールド（および第２のフィールド）の水平走査線のうち数本が、ＬＣＤパネルの２本の連続する走査線にそれぞれ送信され、第１のフィールド（または、第２のフィールド）の水平走査線の残りが、ＬＣＤパネルの１本の走査線にそれぞれ送信される。別の実施形態では、Ｐ＋Ｑ＜Ｌ、Ｒ＋Ｓ＜Ｌであり、ここで、Ｑ≠０およびＳ≠０である。したがって、第１のフィールド（および第２のフィールド）の水平走査線のうち数本が、ＬＣＤパネルの２本の連続する走査線にそれぞれ送信され、該水平走査線の残りの何本かが、ＬＣＤパネルの１本の走査線にそれぞれ送信される。これらの２つの実施形態では、第１のフィールドが表示される際、第１のフィールドのｈ番目の水平走査線がＬＣＤパネルのｇ番目の走査線に送信される。一方、第２のフィールドが表示される際、（ｈ−１）番目、ｈ番目および（ｈ＋１）番目の水平走査線のうちいずれか１本がＬＣＤパネルのｇ番目の走査線に送信される。ここで、ｈ≦Ｌおよびｇ≦Ｍとなるように、ｈとｇは自然数である。第１のフィールド（または、第２のフィールド）の水平走査線が線対駆動方法により駆動される、および水平走査線の数がＬＣＤパネルの走査線の数より多いとき、両実施形態が適用可能である。
【００１６】
要約すると、本発明によるＬＣＤパネルの駆動方法は、フレームの水平走査線をＬＣＤパネルに送信する線対駆動方法と、ＬＣＤパネル上にフレームを表示する列反転駆動方法とを利用する。したがって、追加のメモリを設けるまたは高度なアルゴリズムを使用する必要なく、フレームの解像度を高めることができる。
【００１７】
上記の概括的な説明と以下の詳細な説明の両方とも典型例であり、請求される発明のさらなる説明を行うことを目的とする。
【発明を実施するための最良の形態】
【００１８】
添付の図面は本発明をよりよく理解させるために提供され、本明細書に組み込まれて本明細書の一部を成す。図面は本発明の実施形態を示し、明細書とともに本発明の要旨を説明するのに役立つ。
【００１９】
本発明の好適な実施形態を以下詳細に説明し、その例を添付図面に示すために参照が作成される。可能な限り、同一または類似部分を指すのに、図面および明細書では同じ参照符号を使用する。
【００２０】
本発明の実施形態をより明瞭に説明するため、以下の説明における第１のフィールドと第２のフィールドはそれぞれ奇数フィールドと偶数フィールドであり、第１の極性と第２の極性はそれぞれ正値と負値である。
【００２１】
図３Ａおよび図３Ｂは、本発明の好適な一実施形態によるＬＣＤパネルの駆動方法を示す図である。この方法は、奇数フィールド（または偶数フィールド）の水平走査線が線対駆動方法により駆動される、および水平走査線の数がＬＣＤパネルの走査線の数と等しいときに特に適する。
【００２２】
図３Ａに示されるように、「ＴＶ信号の水平走査線（Ｔ）」のタイトルの最も右側の図と、「ＴＶ信号の水平走査線（Ｚ）」のタイトルの真ん中の図は、本質的に同じフレームである。前者の水平走査線は図１のラベル付け方法を用いてラベル付けされ、後者の水平走査線は本発明によるラベル付け方法を用いてラベル付けされる。同様に、図３Ｂに示されるように、「ＴＶ信号の水平走査線（Ｔ）」のタイトルの最も右側の図と、「ＴＶ信号の水平走査線（Ｚ）」のタイトルの真ん中の図は、本質的に同じフレームである。ＴＶ信号は、インターレーシング方式で表示される。たとえば、ＴＶ信号はＮＴＳＣまたはＰＡＬにより規定される。
【００２３】
説明を簡単にするため、明細書中の文字Ｙ、ＺおよびＴはそれぞれ、「ＬＣＤパネルの走査線（Ｙ）」、「ＴＶ信号の水平走査線（Ｚ）」および「ＴＶ信号の水平走査線（Ｔ）」を表す。
【００２４】
図３Ａおよび図３Ｂに示されるように、ＬＣＤは図１に示されるインターレーシングＴＶ信号と類似のインターレーシングＴＶ信号を受信する。ＴＶ信号の各フレームは、奇数フィールドと偶数フィールドを含む。奇数フィールドと偶数フィールドの各々は、Ｌ本の水平走査線を備える（たとえば、Ｌは２４２である）。図３Ａでは、１つの代表的なフレームのみ（ＺまたはＴ）が示される。しかし、その技術に習熟した人であれば、本発明の駆動方法がインターレーシングＴＶ信号の各フレームを目的とすることに気づくだろう。本発明はＬＣＤを駆動するのに線対駆動方法を使用するため、ＬＣＤの表示パネルは少なくともＭ本の走査線とＮ本のデータ線を備える。ここで、Ｍ＜２Ｌである。以下の説明では、Ｍ＝４８０とＬ＝２４２が、例として使用される。
【００２５】
いわゆる「線対」駆動は、奇数フィールド叉は偶数フィールドの各水平走査線を、ＬＣＤパネルの２本の連続走査線に送信することを指す。さらに、ＬＣＤパネルに送信される水平走査線のうちのどの２本の線の順序は、第１のフィールドの水平走査線のうちのいずれの２本の順序とも同一である。たとえば、最初のＴＶ信号の１フレームは、水平走査線｛１、２、３、４、５、６、７、８、９、１０、１１、１２、．．．｝を含む。したがって、奇数フィールドは水平走査線｛１、３、５、７、９、１１、．．．｝を含み、偶数フィールドは水平走査線｛２、４、６、８、１０、１２、．．．｝を含む。水平走査線｛ａ、ｂ、ｃ｝は、ａ番目、ｂ番目およびｃ番目の水平走査線の順序関係を表す。水平走査線が線対に転換された後、水平走査線｛１、３、５、７、９、１１、．．．｝は｛１、１、３、３、５、５、．．．｝となる。同様に、水平走査線が線対に転換された後、水平走査線｛２、４、６、８、１０、１２、．．．｝は｛２、２、４、４、６、６、．．．｝となる。
【００２６】
しかし、表示されたフレームの解像度を高めるには、図３Ａに示される「Ｔ」のように、両側で走査線は互い違いにされる。奇数フィールドの水平走査線が｛１、３、３、５、５、７、．．．｝となるのに対し、偶数フィールドの走査線は｛２、２、４、４、６、６、．．．｝と変わらないままである。したがって、最初の水平走査線は線対方法を使用しない。もしくは、図３Ｂに示される「Ｔ」のように、奇数フィールドの水平走査線は｛１、１、３、３、５、５、．．．｝と変わらないままであるのに対し、偶数フィールドの水平走査線は｛２、４、４、６、６、８、．．．｝となる。
【００２７】
本発明の駆動方法は、図３ＡのＺを用いて、別の形で説明することができる。ＴＶ信号のフレーム（Ｚの奇数フィールドと偶数フィールドを含む）が表示される際、まずＺの奇数フィールドがＬＣＤパネルの第１のフレーム上に表示される。次に、Ｚの偶数フィールドがＬＣＤパネルの第２のフレーム上に表示される。第１および第２のフレームは実際には、同じディスプレイパネル上だが、別の時点での表示フレームである。したがって、第１および第２のフレームは、同一の走査線ラベルを有する。
【００２８】
Ｚの奇数フィールドがＬＣＤパネル（または、第１のフレーム）に表示される際、Ｚの奇数フィールドの第１の水平走査線はＬＣＤパネル（または、第１のフレーム）の第１の走査線に送信され、Ｚの奇数フィールドのｊ番目の水平走査線はＬＣＤパネル（または、第１のフレーム）の（２ｊ−２）番目および（２ｊ−１）番目の走査線に送信され（ここでは、ｊ＝２、３、．．．、２３９、すなわち、ｊは自然数で１＜ｊ≦Ｌ）、Ｚの奇数フィールドの２４１番目の水平走査線はＬＣＤパネル（または、第１のフレーム）の４８０番目（Ｍ番目）の走査線に送信される。Ｚの偶数フィールドがＬＣＤパネル上（または、第２のフレーム）に表示される際、Ｚの偶数フィールドのｉ番目の水平走査線は、ＬＣＤパネル（または、第２のフレーム）の（２ｉ−１）番目および２ｉ番目の走査線に送信される（ここでは、ｉ＝１、２、３、．．．、２４０、すなわち、ｉは自然数でｉ＜Ｌ）。
【００２９】
図３Ａおよび図３Ｂでは、左側のタイトルＹの図は、ＬＣＤパネルの走査線ラベルを、データ線ラベルなしで一覧にしている。しかし、本発明の駆動方法は、液晶のねじれ特性のいかなる悪化も防ぐために、図２に示される転極駆動方法と今でも整合させる必要がある。本発明は、線対駆動方法を使用する。さらに、ＬＣＤパネルの転極は、列反転駆動方法を使用する。
【００３０】
図４は、本発明の別の好適な実施形態によるＬＣＤパネルの駆動方法を示す図である。本発明は、奇数フィールド（または、偶数フィールド）の水平走査線が線対で駆動される、および水平走査線の数がＬＣＤパネルの走査線の数より多いときに特に適する。たとえば、奇数フィールドと偶数フィールドの各々がＬ本の水平走査線（たとえば、２８６本の水平走査線）を有する場合、線対駆動後、それぞれが２Ｌ本の水平走査線（たとえば、５７２本の水平走査線）を有する。しかし、ＬＣＤパネルは、Ｍ本の走査線のみ（たとえば、４６８の走査線）を有する。
【００３１】
図４に示されるように、本発明の駆動方法は、奇数フィールドおよび偶数フィールドの水平走査線のうちＰ本をＬＣＤパネルの２本の連続する走査線にそれぞれ送信することを含む。残りのＱ本の水平走査線は、ＬＣＤパネルの１本の水平走査線にそれぞれ送信される。ここで、Ｐ＋Ｑ＝Ｌで、Ｐ、Ｑ、Ｌは自然数である。次に、奇数フィールドと偶数フィールドが、ＬＣＤパネルに表示される。点線で囲まれるラベルは線対を使用しないラベルに対する水平走査線を表し、（＊１）は線対方法を使用後に線が１本少なくなるという条件を表すことに留意すべきである。
【００３２】
たとえば、図４のＺの奇数フィールドは、水平走査線｛１、２、２、３、４、４、５、５、６、７、７、８、８、９、１０、１０、．．．｝を含む。図４は、最初のＴＶ信号の１フレームに含まれる水平走査線｛１、２、３、４、５、６、７、８、９、１０、１１、１２、．．．｝のうちの水平走査線｛２、４、５、７、８、１０、１１、１３、．．．｝がＬＣＤパネルの２本の連続する走査線にそれぞれ送信されることを示す。残りの水平走査線｛１、３、６、９、１２，．．．｝は、ＬＣＤパネルの１本の走査線にそれぞれ送信される。同様に、図４のＺの偶数フィールドは、水平走査線｛１、１、２、２、３、４、４、５、５、６、７、７、８、８、９、．．．｝を含む。図４は、最初のＴＶ信号の１フレームに含まれる水平走査線｛１、２、３、４、５、６、７、８、９、１０、１１、１２、．．．｝のうちの水平走査線｛１、２、４、５、７、８、１０、１１、１３、．．．｝がＬＣＤパネルの２本の連続する走査線にそれぞれ送信されることを示す。残りの水平走査線｛３、６、９、１２、．．．｝は、ＬＣＤパネルの１本の走査線にそれぞれ送信される。
【００３３】
図５は、本発明のさらに別の好適な実施形態によるＬＣＤパネルの駆動方法を示す図である。適用性の条件は、図４の条件と同様である。図５に示されるように、本発明の駆動方法は、奇数フィールドおよび偶数フィールドの水平走査線のうちＰ本をＬＣＤパネルの２本の連続する走査線にそれぞれ送信されることを含む。残りのＱ本の水平走査線は、ＬＣＤパネルの１本の水平走査線にそれぞれ送信される。ここで、Ｐ＋Ｑ＜Ｌで、Ｐ、Ｑ、Ｌは自然数である。次に、奇数フィールドと偶数フィールドが、ＬＣＤパネルに表示される。点線で囲まれるラベルは線対を使用しないラベルに対する水平走査線を表し、（＊２）は線対方法を使用後に線が２本少なくなるという条件を表すことに留意すべきである。つまり、ラベルに対する水平走査線が表示されないことを意味する。
【００３４】
たとえば、図５のＺの奇数フィールドは、水平走査線｛１、２、２、４、４、５、５、６、６、７、７、８、８、１０、１０、．．．｝を含む。図５は、最初のＴＶ信号の１フレームに含まれる水平走査線｛１、２、３、４、５、６、７、８、９、１０、１１、１２、．．．｝のうちの水平走査線｛２、４、５、６、７、８、１０、１１、．．．｝がＬＣＤパネルの２本の連続する走査線に送信されることを示す。第１の水平走査線はＬＣＤパネルの１本の走査線に送信され、水平走査線｛３、９、１５、２１、．．．｝は送信されない。同様に、図５のＺの偶数フィールドは、水平走査線｛１、１、２、２、３、３、５、５、６、６、７、７、８、８、９、９、１１、１１、．．．｝を含む。図５は、最初のＴＶ信号の１フレームに含まれる水平走査線｛１、２、３、４、５、６、７、８、９、１０、１１、１２、．．．｝のうちの水平走査線｛１、２、３、５、６、７、８、、９、１１、１２、．．．｝がＬＣＤパネルの２本の連続する走査線に送信されることを示す。水平走査線｛４、１０、１６、２２、．．．｝は、ＬＣＤパネルの１本の走査線に送信される。
【００３５】
水平走査線がＬＣＤパネルの２本の連続する走査線に送信され、水平走査線がＬＣＤパネルの１本の走査線に送信され、および水平走査線が送信されない、図４および図５に示される駆動方法は、以下の条件が満たされる限り、様々な方法で決定される。その条件とは以下のとおりである。奇数フィールドが表示されるときに奇数フィールドのｈ番目の水平走査線が、ＬＣＤパネルのｇ番目の走査線に送信され、偶数フィールドが表示されるときに（ｈ−１）番目、ｈ番目、および（ｈ＋１）番目の水平走査線のうち１本が、ＬＣＤパネルのｇ番目の走査線に送信される。ただし、ｈとｇは、ｈ≦Ｌでｇ≦Ｍの自然数である。
【００３６】
図４に示される駆動方法では、各水平走査線がＬＣＤパネルの少なくとも１本の走査線上に示されることに留意すべきである。しかし、図５に示される駆動方法では、水平走査線の一部はＬＣＤパネル上に示されない。したがって、図５に示される駆動方法の解像度は、図４に示される駆動方法の解像度よりも低い。
【産業上の利用可能性】
【００３７】
当業者にとっては、本発明の範囲または精神から逸脱せずに本発明の構造に様々な修正と変形を加えることのできることは明らかであろう。上記に鑑み、本発明の修正及び変形が以下の請求項とその同等物の範囲内である限り、本発明はその修正および変形を含むことが意図される。
【図面の簡単な説明】
【００３８】
【図１】図１は、インターレーシングＴＶ信号を示す図である。
【図２】図２は、ＬＣＤを通じて表示されるインターレーシングＴＶ信号を示す図である。
【図３Ａ】図３Ａは、本発明の好適な一実施形態によるＬＣＤパネルの駆動方法を示す図である。
【図３Ｂ】図３Ｂは、本発明の好適な一実施形態によるＬＣＤパネルの駆動方法を示す図である。
【図４】図４は、本発明の別の好適な一実施形態によるＬＣＤパネルの駆動方法を示す図である。
【図５】図５は、本発明のさらに別の好適な一実施形態によるＬＣＤパネルの駆動方法を示す図である。
【図１】
2006337974.tif 000003
【図２】
2006337974.tif 000004
【図３Ａ】
2006337974.tif 000005
【図３Ｂ】
2006337974.tif 000006
【図４】
2006337974.tif 000007
【図５】
2006337974.tif 000008